(57)【要約】【課題】  第２のリング操作部材を回動させた際に、第１のリング操作部材をスライドさせてしまうことのない撮像装置を提供する。【解決手段】  レンズユニットの周囲に配置されるリング形状の第１および第２のリング操作部材と、第１のリング操作部材が光軸に直交する方向にスライドでき、第２のリング操作部材が光軸を中心として回動できるように、第１のリング操作部材および第２のリング操作部材を保持するベース部材と、第１のリング操作部材をスライドさせたことを検出する第１の検出手段と、第２のリング操作部材の回動を検出する第２の検出手段と、第２の検出手段によって第２のリング操作部材の回動が検出されていないときには、第１のリング操作部材のスライドを許容し、第２の検出手段によって第２のリング操作部材の回動が検出されているときには、第１のリング操作部材のスライドを規制する規制手段と、を備える。【選択図】  図１２
2016012027.tif 000002
【特許請求の範囲】
【請求項１】
レンズユニットと
前記レンズユニットの周囲に配置されるリング形状の第１のリング操作部材と、
前記レンズユニットの周囲に配置されるリング形状の第２のリング操作部材と、
前記第１のリング操作部材が前記レンズユニットの光軸に直交する方向にスライドでき、前記第２のリング操作部材が前記レンズユニットの前記光軸を中心として回動できるように、前記第１のリング操作部材および前記第２のリング操作部材を保持するベース部材と、
前記第１のリング操作部材をスライドさせたことを検出する第１の検出手段と、
前記第２のリング操作部材の回動を検出する第２の検出手段と、
前記第２の検出手段によって前記第２のリング操作部材の回動が検出されていないときには、前記第１のリング操作部材のスライドを許容し、前記第２の検出手段によって前記第２のリング操作部材の回動が検出されているときには、前記第１のリング操作部材のスライドを規制する規制手段と、を備えることを特徴とする撮像装置。
【請求項２】
前記レンズユニットの光軸にて、前記第１のリング操作部材は前記第２のリング操作部材より前方に配置されることを特徴とする請求項１に記載の撮像装置。
【請求項３】
前記第１のリング操作部材の外径は、前記第２のリング操作部材の外径よりも小さいことを特徴とする請求項２に記載の撮像装置。
【請求項４】
前記第１のリング操作部材の移動範囲は、前記光軸に直交する方向において、前記第２のリング操作部材の外径から突出しない範囲であることを特徴とする請求項３に記載の撮像装置。
【請求項５】
前記第１のリング操作部材は、スライドされることでレリーズ動作を実行し、前記第２のリング操作部材は、回動操作されることでズーム動作を実行することを特徴とする請求項１ないし４の何れか１項に記載の撮像装置。
【請求項６】
前記規制手段は、前記第２のリング操作部材の内径部が前記第１のリング操作部材に形成される軸部に当接することで、前記第１のリング操作部材のスライドを規制することを特徴とする請求項１ないし５の何れか１項に記載の撮像装置。
【請求項７】
前記第２のリング操作部材には、切り欠き部が形成されており、
前記第２のリング操作部材の回動されていないときに、前記第１のリング操作部材がスライドさせたときには、前記第１のリング操作部材の前記軸部が前記切り欠き部に入り込むことを特徴とする請求項６に記載の撮像装置。
【請求項８】
前記第１の検出手段は、
スイッチと、
すり鉢形状のカム部が形成されており、前記第１のリング操作部材がスライドされる際に、前記第１のリング操作部材と一体的にスライドすることのできるカム部材と、
前記スイッチを押圧することができる軸部と、前記カム部と摺動する摺動部とが形成されている押し子部材と、を備えることを特徴とする請求項１ないし７の何れか１項に記載の撮像装置。
【請求項９】
レンズユニットと
前記レンズユニットの周囲に配置されるリング形状の第１のリング操作部材と、
前記第１のリング操作部材が前記レンズユニットの光軸に直交する方向にスライドできるように、前記第１のリング操作部材を保持するベース部材と、
前記第１のリング操作部材を初期位置に付勢する付勢部材と、
スイッチと、
すり鉢形状のカム部が形成されており、前記第１のリング操作部材がスライドされる際に、前記第１のリング操作部材と一体的にスライドすることのできるカム部材と、
前記スイッチを押圧することができる軸部と、前記カム部と摺動する摺動部とが形成されている押し子部材と、を備え、
前記第１のリング操作部材の一方側には、前記付勢部材による第１の復元力が作用するとともに、前記第１のリング操作部材の他方側には、前記摺動部が前記カム部を押圧することによって前記カム部材に作用する第２の復元力が作用し、
前記第１の復元力と前記第２の復元力とがほぼ等しくなるように、前記付勢部材の付勢力および前記カム部の形状が設定されていることを特徴とする撮像装置。
【請求項１０】
レンズユニットと
前記レンズユニットの周囲に配置されるリング形状の第１のリング操作部材と、
前記第１のリング操作部材が前記レンズユニットの光軸に直交する方向にスライドできるように、前記第１のリング操作部材を保持するベース部材と、
前記第１のリング操作部材の一方側に配置され、前記第１のリング操作部材を初期位置に付勢する第１の付勢部材と、
前記第１のリング操作部材の他方側に配置され、前記第１のリング操作部材を初期位置に付勢する第２の付勢部材と、
スイッチと、
すり鉢形状のカム部が形成されており、前記第１のリング操作部材がスライドされる際に、前記第１のリング操作部材と一体的にスライドすることのできるカム部材と、
前記スイッチを押圧することができる軸部と、前記カム部と摺動する摺動部とが形成されている押し子部材と、を備え、
前記第１のリング操作部材の一方側には、前記第１の付勢部材による第１の復元力が作用するとともに、前記第１のリング操作部材の他方側には、前記第２の付勢部材による復元力と前記摺動部が前記カム部を押圧することによって前記カム部材に作用する復元力との合力となる第２の復元力が作用し、
前記第１の復元力と前記第２の復元力とがほぼ等しくなるように、前記第１の付勢部材の付勢力、第２の付勢部材の付勢力および前記カム部の形状が設定されていることを特徴とする撮像装置。
【発明の詳細な説明】
【技術分野】
【０００１】
本発明は、撮像装置に関する。
【背景技術】
【０００２】
カメラを横位置にホールドした場合に人差し指が届きやすい箇所に横位置レリーズボタンを設け、カメラを縦位置にホールドした場合にも人差し指が届きやすい箇所に縦位置レリーズボタンを設けることが知られている（特許文献１参照）。
【先行技術文献】
【特許文献】
【０００３】
【特許文献１】特開２００４−３４３２８３号公報
【発明の概要】
【発明が解決しようとする課題】
【０００４】
しかしながら、特許文献１では、横位置レリーズボタンもしくは縦位置レリーズボタンが下向きになるような姿勢では、手首をひねった状態でカメラをホールドなければならず、非常に撮影しにくくなる。
【０００５】
このような課題を鑑みて、本出願人は、スライド可能な第１のリング操作部材と回動可能な第２のリング操作部材とをレンズユニットの周囲に配置した撮像装置を提案している。この撮像装置では、第１のリング操作部材をスライドさせることで、レリーズ動作を行い、第２のリング操作部材を回動させることでズーム動作を行っている。
【０００６】
このような撮像装置において、第１のリング操作部材と第２のリング操作部材との位置が接近している場合には、第２のリング操作部材を回動させた際に、第１のリング操作部材をスライドさせてしまい、意図しない撮影を行ってしまうおそれがある。
【０００７】
本発明は、第２のリング操作部材を回動させた際に、第１のリング操作部材をスライドさせてしまうことのない撮像装置を提供するものである。
【課題を解決するための手段】
【０００８】
本発明の撮像装置は、レンズユニットと前記レンズユニットの周囲に配置されるリング形状の第１のリング操作部材と、前記レンズユニットの周囲に配置されるリング形状の第２のリング操作部材と、前記第１のリング操作部材が前記レンズユニットの光軸に直交する方向にスライドでき、前記第２のリング操作部材が前記レンズユニットの前記光軸を中心として回動できるように、前記第１のリング操作部材および前記第２のリング操作部材を保持するベース部材と、前記第１のリング操作部材をスライドさせたことを検出する第１の検出手段と、前記第２のリング操作部材の回動を検出する第２の検出手段と、前記第２の検出手段によって前記第２のリング操作部材の回動が検出されていないときには、前記第１のリング操作部材のスライドを許容し、前記第２の検出手段によって前記第２のリング操作部材の回動が検出されているときには、前記第１のリング操作部材のスライドを規制する規制手段と、を備えることを特徴とする。
【発明の効果】
【０００９】
本発明によれば、第２のリング操作部材を回動させた際に、第１のリング操作部材をスライドさせてしまうことのない撮像装置を提供することができる。
【図面の簡単な説明】
【００１０】
【図１】本発明の撮像装置の一例であるデジタルカメラの外観斜視図である。
【図２】デジタルカメラのフロントカバーユニット１８の正面側から見た部分分解斜視図である。
【図３】デジタルカメラの正面側から見たフロントカバーユニット１８の分解斜視図である。
【図４】デジタルカメラの背面側から見たフロントカバーユニット１８の分解斜視図である。
【図５】バネユニット５０の分解斜視図である。
【図６】フロントインナー２０のバネ収納用凹部２０ａ、２０ｂにバネユニット５０を取り付けた状態を示す分解斜視図である。
【図７】レリーズベース２２、Ｙ方向移動リング１５、ズームリング１３を説明する斜視図である。
【図８】カム部材２６、押し子部材３１、付勢バネ３２、ガイド部材３３の形状を説明する分解斜視図である。
【図９】レリーズリング１４がＸ１方向にスライド操作された場合の押し子部材３１の動きを説明する図である。
【図１０】レリーズリング１４がＹ１方向にスライド操作された場合の押し子部材３１の動きを説明する図である。
【図１１】レリーズリング１４をＸ方向またはＹ方向にスライド操作する際に必要な力について説明する図である。
【図１２】ズームリング１３、Ｙ方向移動リング１５、ズームスイッチ２１ｂ、レリーズベース２２の状態を説明する図である。
【図１３】ズームリング１３、Ｙ方向移動リング１５、ズームスイッチ２１ｂ、レリーズベース２２の状態を説明する図である。
【図１４】ズームリング１３、Ｙ方向移動リング１５、ズームスイッチ２１ｂ、レリーズベース２２の状態を説明する図である。
【図１５】ズームリング１３、Ｙ方向移動リング１５、ズームスイッチ２１ｂ、レリーズベース２２の状態を説明する図である。
【図１６】ズームリング１３、Ｙ方向移動リング１５、ズームスイッチ２１ｂ、レリーズベース２２の状態を説明する図である。
【発明を実施するための形態】
【００１１】
以下に、本発明の好ましい実施の形態を、添付の図面に基づいて詳細に説明する。
【００１２】
図１は、本発明の撮像装置の一例であるデジタルカメラの外観斜視図である。
【００１３】
図１（ａ）は、デジタルカメラを正面側（被写体側）から見た外観斜視図である。図１（ｂ）は、デジタルカメラの背面側（撮影者側）から見た外観斜視図である。
【００１４】
図１（ａ）および（ｂ）は、レンズユニット３が繰り出された撮影可能状態である。デジタルカメラをスタンバイ状態にすると、レンズユニット３がカメラ本体（装置本体）１から突出しない位置まで沈胴収納される。
【００１５】
表示ユニット２は、ヒンジ機構によりカメラ本体１に対して所定角度範囲で回動可能に支持されており、フレキシブル配線基板によりカメラ本体１に電気的に接続されている。図１（ａ）および（ｂ）は、カメラ本体１に対し、表示ユニット２が閉じられた状態を示している。
【００１６】
表示部２ａは、例えば液晶パネルユニットなどが用いられており、撮影時の構図を確認するための画像および再生画像を表示する。表示部２ａには、静電容量式タッチパネルが組み込まれている。
【００１７】
レンズユニット３が繰り出された撮影可能状態となるとき、撮像素子に被写体像を結像される。電源ボタン４が押下されることで、撮影可能状態とスタンバイ状態との間でデジタルカメラの動作状態が切り換えられる。電源ボタン４の押下によって、デジタルカメラが撮影可能状態となるとき、デジタルカメラの動作モードは撮影モードになる。
【００１８】
モード切り換えレバー５が操作されることで、デジタルカメラの撮影モードが切り換えられる。通信ボタン６が操作されることで、Ｗｉ−Ｆｉなどの無線通信が開始される。
【００１９】
デジタルカメラが撮影可能状態となっているとき、再生ボタン７が押下されることで、デジタルカメラの動作モードが撮影モードから再生モードへ切り換えられる。デジタルカメラがスタンバイ状態となっているとき、再生ボタン７が押下されることで、デジタルカメラは再生モードで起動する。
【００２０】
端子カバー８は、カメラ本体１に対しスライドおよび回動可能に支持されている。端子カバー８を開けると、ＵＳＢ端子やＨＤＭＩ（登録商標）端子などの外部接続端子が露出する状態となる。
【００２１】
ストラップベース９は、ストラップ紐を通すためのストラップベースであり、カメラの左側面、右側面に１つずつ、計２つ形成されている。電池蓋１０は、カメラ本体１に対し、スライドおよび回動可能に保持されている。電池蓋１０を開けると、電池を挿抜することができる。
【００２２】
カード蓋１１は、カメラ本体１に対しスライドおよび回動可能に取り付けられている。カード蓋１１を開けると、記録媒体を挿抜することができる。
【００２３】
照明窓１２は、透明部材からなり、カメラ内部に配置された発光素子の光を導光および拡散させる。この発光素子は、低照度撮影時や低照度時のＡＦ（オートフォーカス）動作時に発光する。
【００２４】
ズームリング１３は、リング形状をしており、レンズユニット３の周囲に配置されている。ズームリング１３は、カメラ本体１に対し、レンズユニット３の光軸中心にＰ方向およびＱ方向（図１（ａ）参照）に所定角度範囲で回動するように構成されている。
【００２５】
ズームリング１３をＰ方向に回動させると、レンズユニット３の焦点距離が望遠側にズームし、Ｑ方向へ回転させると、レンズユニット３の焦点距離が広角側にズームする。使用者がズームリング１３を回動操作し、その後、ズームリング１３から指を離すとトーションバネ３４により、ズームリング１３は中立位置（初期位置）に復帰する。ズームリング１３は、第２のリング操作部材に相当する。
【００２６】
ズームリング１３の外径全周部には、指掛かりが良くなるように凹凸形状部が形成されている。
【００２７】
レリーズリング１４は、リング形状を有しており、レンズユニット３の周囲に配置されている。レリーズリング１４の外径は、ズームリング１３の外径よりも小さく形成され、レリーズリング１４は、ズームリング１３よりもデジタルカメラの前方に突出するように配置されている。レリーズリング１４は、カメラ本体１に対し、レンズユニット３の光軸と直交する上方向および下方向、左方向および右方向（図１（ａ）参照）に、所定範囲でスライド操作することができる。
【００２８】
レリーズリング１４を上下方向のスライド操作、すなわち下方向および上方向にスライド操作することで、レリーズ動作を実行させ、静止画撮影を実行することができる。
【００２９】
同様に、レリーズリング１４を左右方向のスライド操作、すなわち左方向および右方向に操作することでも、レリーズ動作を実行させ、静止画撮影を実行することができる。レリーズリング１４の外径はズームリング１３の外径よりも小さい。レンズユニット３の光軸にて、レリーズリング１４はズームリング１３より前方に配置されている。レリーズリング１４の移動範囲は、レンズユニット３の光軸に直交する方向にてズームリング１３の外径から突出しない範囲となっている。レリーズリング１４は、第１のリング操作部材に相当する。
【００３０】
通常、デジタルカメラのレリーズスイッチは、２段スイッチで構成されている。レリーズスイッチの第１ストロークで１段目のスイッチ（ＳＷ１）がオンするとＡＦ（オートフォーカス）動作およびＡＥ（自動露出）動作を実行する。そして、レリーズスイッチの第２ストロークで２段目のスイッチ（ＳＷ２）がオンすると静止画撮影を実行する。
【００３１】
レリーズリング１４は、上下左右方向に所定範囲内でのみスライド操作することができる。また、レリーズリング１４は、上下方向のスライド操作または左右方向のスライド操作を解除すると、バネ力により、中立位置（初期位置）に復帰するように構成されている。
【００３２】
なお、図１（ａ）および（ｂ）では、ズームリング１３およびレリーズリング１４が中立位置に位置している状態を示している。
【００３３】
次に、ズームリング１３およびレリーズリング１４の構成を詳細に説明する。
【００３４】
図２は、デジタルカメラのフロントカバーユニット１８の正面側から見た部分分解斜視図である。図２（ａ）は、フロントカバーユニット１８をカメラ本体１から取り外した状態である。図２（ｂ）は、カメラ本体１から取り外したフロントカバーユニット１８を背面側から見た斜視図である。
【００３５】
図２（ａ）に図示するように、カメラ本体１内のレンズユニット３の右側には、カメラに電源を供給する電池が収納される電池室１６が配置され、レンズユニット３の左側にはメインＣＰＵなどを実装したメイン回路基板１７が配置されている。メイン回路基板１７、表示ユニット２およびレンズユニット３はフレキシブル配線板により電気的に接続されている。メイン回路基板１７には、フロントカバーユニット１８に取り付けられたフロントフレキシブル配線板の接続用コネクタ１７ａが実装されている。
【００３６】
フロントカバーユニット１８は、フロントカバー１９、フロントインナー２０、フロントフレキシブル配線板２１、ズームリング１３およびレリーズリング１４等で構成されている。
【００３７】
フロントカバー１９は、金属材料を絞り成型することで形成されている。フロントカバー１９の中央には開口部１９ａが形成されている。合成樹脂製のフロントインナー２０は、合成樹脂材料で形成されている。フロントカバー１９の開口部１９ａからフロントインナー２０の一部が露出するように、フロントインナー２０はフロントカバー１９の背面側に接着固定されている。
【００３８】
フロントインナー２０の中央には、開口部２０ｋが形成されている。フロントカバーユニット１８をカメラ本体１に取り付けると、レンズユニット３の一部がフロントインナー２０の開口部２０ｋの内側に位置する。カメラ本体１の電源をオンすると、レンズユニット３の一部がフロントインナー２０の開口部２０ｋから繰り出すようになっている。
【００３９】
フロントインナー２０は、ズームリング１３とレリーズリング１４を保持するベース部材として機能する。ズームリング１３は、フロントインナー２０に対して所定範囲で回動操作することができるように構成されている。レリーズリング１４は、フロントインナー２０に対して所定範囲でスライド操作することができるように構成されている。
【００４０】
フロントインナー２０には、フロントフレキシブル配線板２１が取り付けられている。フロントフレキシブル配線板２１には、レリーズ動作の実行を受け付けるスイッチおよびズーム動作の実行を受け付けるスイッチが実装されている。フロントフレキシブル配線板２１の先端には、一部パターンが露出した接点接続部２１ａが形成されている。フロントフレキシブル配線板２１の接点接続部２１ａがメイン回路基板１７のコネクタ１７ａに接続される。これによって、ズームリング１３およびレリーズリング１４の操作によって各スイッチから出力される信号は、メイン回路基板１７に実装されるメインＣＰＵに伝えられる。
【００４１】
次に、図３ないし図７を用いて、フロントカバーユニット１８の詳細な構成を説明する。
【００４２】
図３は、デジタルカメラの正面側から見たフロントカバーユニット１８の分解斜視図であり、図４は、デジタルカメラの背面側から見たフロントカバーユニット１８の分解斜視図である。
【００４３】
フロントインナー２０の背面側には、フロントフレキシブル配線板２１が取り付けられている。フロントフレキシブル配線板２１には、ズームリング１３の回動操作を検出するズームスイッチ２１ｂが実装されている。ズームスイッチ２１ｂは、相反する２方向に可倒することのできる可倒部を有する。ズームリング１３が望遠方向に回動操作されると、ズームスイッチ２１ｂの可倒部が第１の方向に倒れる。ズームリング１３が広角方向に回動操作されると、ズームスイッチ２１ｂの可倒部が第２の方向に倒れる。ズームスイッチ２１ｂから出力される出力信号は、メイン回路基板１７に実装されるメインＣＰＵに伝えられ、ズーム動作を実行する。
【００４４】
フロントフレキシブル配線板２１には、レリーズリング１４の上下方向のスライド操作と、左右方向のスライド操作を検出するレリーズスイッチ２１ｃと、が実装されている。レリーズスイッチ２１ｃは、２段スイッチで構成されている。レリーズリング１４を上下左右の何れかの方向にスライド操作して、レリーズスイッチ２１ｃの１段目のスイッチがオンすると、ＳＷ１信号がメイン回路基板１７に実装されるメインＣＰＵに伝えられ、ＡＦ動作およびＡＥ動作を実行する。さらに、レリーズリング１４を同じ方向にスライド操作すると、レリーズスイッチ２１ｃの２段目のスイッチがオンすると、ＳＷ２信号がメイン回路基板１７に実装されるメインＣＰＵに伝えられ、静止画撮影を実行する。ＳＷ１信号は第１の信号の一例であり、ＳＷ２信号は第２の信号の一例である。
【００４５】
本実施形態では、レリーズリング１４を上下左右の何れの方向に操作しても、レリーズスイッチ２１ｃからＳＷ１信号およびＳＷ２信号が出力される。フロントインナー２０は、ベース部材として機能する。レリーズリング１４は、フロントインナー２０に対して第１の方向（図１の上下方向、図３のＹ方向）および第１の方向と直交する第２の方向（図１の左右方向、図３のＸ方向）にスライド操作することのできる操作部材として機能する。レリーズスイッチ２１ｃは、スイッチとして機能する。
【００４６】
フロントインナー２０の背面側には、トーションバネ３４が取り付けられている。トーションバネ３４は、ズームリング１３を中立位置に復帰させるためのバネである。トーションバネ３４の腕部は、フロントインナー２０およびズームリング１３のバネ掛け部へかけられる。トーションバネ３４の座巻き部にフロントインナー２０のボス部が挿入されるように、トーションバネ３４をフロントインナー２０の背面側に取り付けた後、バネ押え部材３５をフロントインナー２０のボス部に固定する。バネ押え部材３５がフロントインナー２０の背面側に固定されることで、トーションバネ３４は、フロントインナー２０とバネ押え部材３５との間に挟まれた状態となり、フロントインナー２０から抜け落ちなくなる。
【００４７】
フロントインナー２０の正面側には、フロントカバー１９が接着固定されている。フロントカバー１９の開口部１９ａから露出しているフロントインナー２０の正面側に、バネユニット５０が取り付けられている。バネユニット５０は、フロントインナー２０の開口部２０ｋの左右に１本ずつ取り付けられている。
【００４８】
図５は、バネユニット５０の分解斜視図である。バネユニット５０は、金属シャフト５１、コイルバネ５２、係合部材５３で構成されている。バネユニット５０は、金属シャフト５１にコイルバネ５２を装着し、コイルバネ５２の両端に係合部材５３が配置されるように、係合部材５３を金属シャフト５１に取り付ける。コイルバネ５２の上側巻き端部５２ａおよび下側巻き端部５２ｂの内径はコイルバネ５２の中央部分の内径より大きい。係合部材５３は、合成樹脂材料で形成され、コイルバネ５２の上側巻き端部５２ａおよび下側巻き端部５２ｂに接触するように、金属シャフト５１に取り付けられる。係合部材５３を金属シャフト５１に取り付けると、金属シャフト５１の両端は係合部材５３を貫通して係合部材５３から突出する。コイルバネ５２の中央部分は、金属シャフト５１にガイドされる部分となり、金属シャフト５１の外径とコイルバネ５２の中央部分の内径のクリアランスは動作に問題ない程度に十分に小さくしている。これによって、金属シャフト５１の外径とコイルバネ５２の内径との干渉による振動音の発生を低減している。
【００４９】
フロントカバー１９の開口部１９ａから露出しているフロントインナー２０の正面側には、バネ収納用凹部２０ａ、２０ｂが形成されている。バネ収納用凹部２０ａは、フロントインナー２０の開口部２０ｋの左側に形成され、バネ収納用凹部２０ｂは、フロントインナー２０の開口部２０ｋの右側に形成されている。バネ収納用凹部２０ａ、２０ｂには、バネユニット５０がそれぞれ取り付けられる。バネユニット５０のうち、金属シャフト５１の両端に取り付けられた係合部材５３がバネ収納用凹部２０ａまたは２０ｂにそれぞれ係合する。このとき、コイルバネ５２が圧縮された状態で、バネユニット５０はバネ収納用凹部２０ａまたは２０ｂに取り付けられる。
【００５０】
図６は、フロントインナー２０の背面側にフロントフレキシブル配線板２１およびトーションバネ３４を取り付け、フロントインナー２０のバネ収納用凹部２０ａ、２０ｂにバネユニット５０を取り付けた状態を示す分解斜視図である。
【００５１】
図７は、レリーズベース２２、Ｙ方向移動リング１５、ズームリング１３を説明する斜視図である。
【００５２】
レリーズリング１４は、意匠性、強度の都合から、合成樹脂材料からなるレリーズベース２２と金属材料からなるレリーズキャップ２３とを貼り合わせて構成される。レリーズベース２２およびレリーズキャップ２３はともにリング形状を有している。
【００５３】
フロントカバー１９の開口部１９ａから露出しているフロントインナー２０の正面側に、ズームリング１３が配置される。図３および図４に示すように、ズームリング１３の背面側には摺動シート２５が貼られている。図７（ｃ）に示すように、ズームリング１３には、ズームスイッチ２１ｂをオン、オフする切り欠き部１３ｂが形成されている。また、図７（ｃ）に示すように、ズームリング１３には、バネ掛け部１３ｃが形成されている。ズームリング１３のバネ掛け部１３ｃは、フロントインナー２０に形成されている穴部２０ｊを貫通して、トーションバネ３４の腕部と接触する。これによって、ズームリング１３はトーションバネ３４によって中立位置に付勢されている。
【００５４】
フロントカバー１９の開口部１９ａから露出しているフロントインナー２０の正面側であって、ズームリング１３の内側には、Ｙ方向移動リング１５がＹ方向にのみ移動することができるように取り付けられている。図７（ｂ）に示すように、Ｙ方向移動リング１５の背面側には、軸部１５ｃ、１５ｄ、１５ｅ、１５ｆが突出形成されている。フロントカバー１９の開口部１９ａから露出しているフロントインナー２０の正面側には、長穴部２０ｆ、２０ｇ、２０ｈ、２０ｉが形成されている。軸部１５ｃ、１５ｄ、１５ｅ、１５ｆが長穴部２０ｆ、２０ｇ、２０ｉ、２０ｈにそれぞれ挿入される。長穴部２０ｆ、２０ｇ、２０ｉ、２０ｈは、Ｙ方向に長い長穴形状を有している。これによって、Ｙ方向移動リング１５はＹ方向にのみ移動することができる。Ｙ方向移動リング１５は、フロントインナー２０に対して第１の方向にのみ移動可能に取り付けられる移動部材として機能する。軸部１５ｃ、１５ｄ、１５ｅ、１５ｆと、長穴部２０ｆ、２０ｇ、２０ｉ、２０ｈは、フロントインナー２０に対してＹ方向移動リング１５を第１の方向（Ｙ方向）にのみ移動するようにガイドする第１のガイド手段として機能する。
【００５５】
軸部１５ｃ、１５ｄ、１５ｅ、１５ｆが長穴部２０ｆ、２０ｇ、２０ｉ、２０ｈに挿入された後、保持プレート２８がフロントインナー２０を貫通した軸部１５ｃ、１５ｄ、１５ｅ、１５ｆにビスで固定される。したがって、Ｙ方向移動リング１５と保持プレート２８との間に、フロントインナー２０が挟まれる状態で、Ｙ方向移動リング１５はフロントインナー２０に取り付けられている。
【００５６】
図７（ｂ）に示すように、Ｙ方向移動リング１５の背面側には、係合部１５ｏ、１５ｐ、１５ｑ、１５ｒが突出形成されている。Ｙ方向移動リング１５をフロントインナー２０に取り付けると、バネ収納用凹部２０ａに取り付けられた係合部材５３と、係合部１５ｏ、１５ｐとが、それぞれ係合する。Ｙ方向移動リング１５をフロントインナー２０に取り付けると、バネ収納用凹部２０ｂに取り付けられた係合部材５３と、係合部１５ｑ、１５ｒとが、それぞれ係合する。Ｙ方向移動リング１５をフロントインナー２０に取り付けると、係合部１５ｏ、１５ｐ、１５ｑ、１５ｒは、バネ収納用凹部２０ａ、２０ｂに取り付けられたバネユニット５０のコイルバネ５２の上側巻き端部５２ａもしくは下側巻き端部５２ｂに接触する。
【００５７】
これによって、Ｙ方向移動リング１５は、バネ収納用凹部２０ａ、２０ｂにそれぞれ取り付けられたバネユニット５０によってＹ方向において中立位置に付勢されている。なお、Ｙ方向移動リング１５をフロントインナー２０に取り付けた状態では、バネ収納用凹部２０ａ、２０ｂに取り付けられたバネユニット５０は、Ｙ方向移動リング１５の投影面内に配置されている。バネ収納用凹部２０ａ、２０ｂにそれぞれ取り付けられたバネユニット５０は、Ｙ方向移動リング１５をＹ方向移動リング１５の移動可能範囲における中立位置に付勢する第１の付勢部材として機能する。
【００５８】
Ｙ方向移動リング１５の正面側には、バネ収納用凹部１５ａ、１５ｂが形成されている。バネ収納用凹部１５ａは、Ｙ方向移動リング１５の上側に形成され、バネ収納用凹部１５ｂは、Ｙ方向移動リング１５の下側に形成されている。バネ収納用凹部１５ａ、１５ｂには、バネユニット５０がそれぞれ取り付けられる。バネユニット５０のうち、金属シャフト５１の両端に取り付けられた係合部材５３がバネ収納用凹部１５ａまたは１５ｂにそれぞれ係合する。このとき、コイルバネ５２が圧縮された状態で、バネユニット５０はバネ収納用凹部１５ａまたは１５ｂに取り付けられる。
【００５９】
Ｙ方向移動リング１５の正面側には、レリーズベース２２がＸ方向にのみ移動することができるように取り付けられている。図７（ａ）に示すように、レリーズベース２２の背面側には、軸部２２ｅ、２２ｆ、２２ｇ、２２ｈが突出形成されている。図７（ｂ）に示すように、Ｙ方向移動リング１５には、長穴部１５ｇ、１５ｈ、１５ｉ、１５ｊが形成されている。軸部２２ｅ、２２ｆ、２２ｇ、２２ｈが長穴部１５ｇ、１５ｈ、１５ｉ、１５ｊにそれぞれ挿入される。長穴部１５ｇ、１５ｈ、１５ｉ、１５ｊは、Ｘ方向に長い長穴形状を有している。これによって、レリーズベース２２はＹ方向移動リング１５に対してＸ方向にのみ移動することができる。レリーズベース２２は、Ｙ方向移動リング１５に対して第２の方向にのみ移動可能に取り付けられる操作部材として機能する。軸部２２ｅ、２２ｆ、２２ｇ、２２ｈと、長穴部１５ｇ、１５ｈ、１５ｉ、１５ｊは、Ｙ方向移動リング１５に対して、レリーズベース２２を第２の方向（Ｘ方向）にのみ移動するようにガイドする第２のガイド手段として機能する。
【００６０】
図７（ａ）に示すように、レリーズベース２２の背面側には、軸部２２ａ、２２ｂ、２２ｃ、２２ｄが突出形成されている。図７（ｂ）に示すように、Ｙ方向移動リング１５には、長穴部１５ｋ、１５ｌ、１５ｍ、１５ｎが形成されている。軸部２２ａ、２２ｂ、２２ｃ、２２ｄが長穴部１５ｋ、１５ｌ、１５ｍ、１５ｎにそれぞれ挿入される。長穴部１５ｋ、１５ｌ、１５ｍ、１５ｎは、Ｘ方向に長い長穴形状を有している。これによって、レリーズベース２２はＹ方向移動リング１５に対してＸ方向にのみ移動することができる。長穴部１５ｋを貫通した軸部２２ａには、ビス２４が取り付けられ、レリーズベース２２とビス２４との間に、Ｙ方向移動リング１５が挟まれる。軸部２２ａ、２２ｂ、２２ｃ、２２ｄと、長穴部１５ｋ、１５ｌ、１５ｍ、１５ｎは、Ｙ方向移動リング１５に対して、レリーズベース２２を第２の方向（Ｘ方向）にのみ移動するようにガイドする第２のガイド手段として機能する。
【００６１】
軸部２２ｂは、長穴部１５ｌおよびフロントインナー２０に形成される穴部２０ｅに挿入される。軸部２２ｃは、長穴部１５ｍおよびフロントインナー２０に形成される穴部２０ｄに挿入される。カム部材２６は、長穴部１５ｌおよび穴部２０ｅを貫通した軸部２２ｂと、長穴部１５ｍおよび穴部２０ｄを貫通した軸部２２ｃとにビスによって固定される。したがって、レリーズベース２２とカム部材２６との間に、Ｙ方向移動リング１５およびフロントインナー２０が挟まれた状態で、レリーズベース２２とカム部材２６とが一体化される。すなわち、カム部材２６は、レリーズベース２２と一体的にスライド移動することのできるカム部材として機能する。
【００６２】
軸部２２ｄは、長穴部１５ｎおよびフロントインナー２０に形成される穴部２０ｃに挿入される。長穴部１５ｎおよび穴部２０ｃを貫通して軸部２２ｄには、保持プレート２７がビスで固定される。したがって、レリーズベース２２と保持プレート２７との間に、Ｙ方向移動リング１５およびフロントインナー２０が挟まれる状態となる。
【００６３】
図７（ａ）に示すように、レリーズベース２２の背面側には、係合部２２ｉ、２２ｊ、２２ｋ、２２ｌが突出形成されている。レリーズベース２２をＹ方向移動リング１５に取り付けると、バネ収納用凹部１５ａにそれぞれ取り付けられた係合部材５３と、係合部２２ｉ、２２ｊとが、それぞれ係合する。レリーズベース２２をＹ方向移動リング１５に取り付けると、バネ収納用凹部１５ｂに取り付けられた係合部材５３と、係合部２２ｋ、２２ｌとが、それぞれ係合する。レリーズベース２２をＹ方向移動リング１５に取り付けると、係合部２２ｉ、２２ｊ、２２ｋ、２２ｌは、バネ収納用凹部１５ａ、１５ｂに取り付けられたバネユニット５０のコイルバネ５２の上側巻き端部５２ａもしくは下側巻き端部５２ｂに接触する。
【００６４】
これによって、レリーズベース２２は、バネ収納用凹部１５ａ、１５ｂにそれぞれ取り付けられたバネユニット５０によってＸ方向において中立位置に付勢されている。なお、レリーズベース２２をＹ方向移動リング１５に取り付けた状態では、バネ収納用凹部１５ａ、１５ｂにそれぞれ取り付けられたバネユニット５０は、レリーズベース２２の投影面内に配置されている。Ｙ方向移動リング１５はレリーズベース２２の投影面内に配置されているので、バネ収納用凹部１５ａ、１５ｂにそれぞれ取り付けられたバネユニット５０もまたレリーズベース２２の投影面内に配置されている。バネ収納用凹部１５ａ、１５ｂにそれぞれ取り付けられたバネユニット５０は、レリーズベース２２をレリーズベース２２の操作可能範囲における中立位置に付勢する第２の付勢部材として機能する。
【００６５】
レリーズリング１４がＸ方向にスライド操作される場合には、レリーズベース２２がＹ方向移動リング１５に対してＸ方向にスライドする。このとき、Ｙ方向移動リング１５はフロントインナー２０に対してスライドしない。レリーズリング１４がＹ方向にスライド操作される場合には、レリーズベース２２およびレリーズキャップ２３からなるレリーズリング１４と、Ｙ方向移動リング１５とが一体となってフロントインナー２０に対してスライドする。このとき、レリーズベース２２はＹ方向移動リング１５に対してスライドしない。
【００６６】
図８は、カム部材２６、押し子部材３１、付勢バネ３２、ガイド部材３３の形状を説明する分解斜視図である。図８（ａ）は、正面側からカム部材２６、押し子部材３１、付勢バネ３２、ガイド部材３３を見た分解斜視図である。図８（ａ）では、フロントインナー２０を省略している。図８（ｂ）は、背面側からフロントインナー２０、カム部材２６、押し子部材３１、付勢バネ３２、ガイド部材３３を見た分解斜視図である。
【００６７】
図８（ｂ）に示すように、カム部材２６の背面側には、略すり鉢形状のカム部２６ａ、２６ｂが形成されている。カム部材２６の背面側には、押し子部材３１が配置されている。押し子部材３１には、摺動部３１ａ、第１の軸部３１ｂ、凹部３１ｃ、第２の軸部３１ｄが形成されている。図８（ｂ）に示すように、第１の軸部３１ｂは、摺動部３１ａから正面側に突出形成され、第２の軸部３１ｄは、摺動部３１ａから背面側に突出形成されている。凹部３１ｃは、摺動部３１ａの背面側がくり抜かれるような形で形成されている。
【００６８】
押し子部材３１をカム部材２６の背面側に配置すると、摺動部３１ａは、カム部材２６のカム部２６ａ、２６ｂと摺動する。このとき、第１の軸部３１ｂは、カム部材２６を貫通して、フロントインナー２０に形成されるガイド穴２０ｌに挿入される。
【００６９】
押し子部材３１の背面側には、ガイド部材３３が配置されている。ガイド部材３３には、ガイド穴３３ａが形成されている。押し子部材３１の凹部３１ｃに付勢バネ３２を配置して、ガイド部材３３をフロントインナー２０の背面側にビスで固定する。このとき、押し子部材３１の第２の軸部３１ｄはガイド穴３３ａに挿入される。押し子部材３１はフロントインナー２０とガイド部材３３との間に挟まれた状態で取り付けられている。これによって、押し子部材３１は、第１の軸部３１ｂおよび第２の軸部３１ｄの軸方向に沿って移動可能に取り付けられており、付勢バネ３２によって摺動部３１ａがカム部２６ａ、２６ｂに押し付けられている。
【００７０】
ガイド部材３３の背面側には、フロントフレキシブル配線板２１に実装されるレリーズスイッチ２１ｃが配置されている。付勢バネ３２に抗して押し子部材３１が背面側へ移動すると、第２の軸部３１ｄの先端がレリーズスイッチ２１ｃを押し込む。第２の軸部３１ｄの先端がレリーズスイッチ２１ｃを第１の押し込み量だけ押し込むことで、レリーズスイッチ２１ｃの１段目のスイッチがオンする。さらに、第２の軸部３１ｄの先端がレリーズスイッチ２１ｃを第２の押し込み量だけ押し込むことで、レリーズスイッチ２１ｃの２段目のスイッチがオンする。したがって、第２の軸部３１ｄは、レリーズスイッチ２１ｃを押圧することができる軸部として機能する。
【００７１】
図９は、レリーズリング１４がＸ１方向にスライド操作された場合の押し子部材３１の動きを説明する図である。図９（ａ）は、フロントカバーユニット１８を正面から見た図である。Ｘ１方向は、図９（ａ）の矢印で定義する。図９（ｂ）は、レリーズリング１４が中立位置の状態にあるときのフロントカバーユニット１８のＢ−Ｂ断面図である。図９（ｃ）は、レリーズリング１４が中立位置からＸ１方向にスライド操作された状態にあるときのフロントカバーユニット１８のＢ−Ｂ断面図である。
【００７２】
図９（ｂ）に示すように、レリーズリング１４が中立位置にあるとき、押し子部材３１は付勢バネ３２の付勢力によってカム部材２６のカム部２６ａ、２６ｂに付勢されている。このとき、第２の軸部３１ｄの先端はレリーズスイッチ２１ｃに接触しておらず、第２の軸部３１ｄの先端とレリーズスイッチ２１ｃとの間には、隙間ができている。この状態からレリーズリング１４をＸ１方向にスライド操作すると、押し子部材３１の摺動部３１ａがカム部２６ｂを摺動して、付勢バネ３２に抗して押し子部材３１が背面側へ移動する。付勢バネ３２に抗して押し子部材３１が背面側へ移動すると、第２の軸部３１ｄの先端とレリーズスイッチ２１ｃとの間の隙間が徐々に小さくなって、第２の軸部３１ｄの先端がレリーズスイッチ２１ｃに接触して、レリーズスイッチ２１ｃを押し込む。
【００７３】
図１０は、レリーズリング１４がＹ１方向にスライド操作された場合の押し子部材３１の動きを説明する図である。図１０（ａ）は、フロントカバーユニット１８を正面から見た図である。Ｙ１方向は、図１０（ａ）の矢印で定義する。図１０（ｂ）は、レリーズリング１４が中立位置の状態にあるときのフロントカバーユニット１８のＡ−Ａ断面図である。図１０（ｃ）は、レリーズリング１４が中立位置からＹ１方向にスライド操作された状態にあるときのフロントカバーユニット１８のＡ−Ａ断面図である。
【００７４】
図１０（ｂ）に示すように、レリーズリング１４が中立位置にあるとき、押し子部材３１は付勢バネ３２の付勢力によってカム部材２６のカム部２６ａ、２６ｂに付勢されている。このとき、第２の軸部３１ｄの先端はレリーズスイッチ２１ｃに接触しておらず、第２の軸部３１ｄの先端とレリーズスイッチ２１ｃとの間には、隙間ができている。この状態からレリーズリング１４をＹ１方向にスライド操作すると、押し子部材３１の摺動部３１ａがカム部２６ａを摺動して、付勢バネ３２に抗して押し子部材３１が背面側へ移動する。付勢バネ３２に抗して押し子部材３１が背面側へ移動すると、第２の軸部３１ｄの先端とレリーズスイッチ２１ｃとの間の隙間が徐々に小さくなって、第２の軸部３１ｄの先端がレリーズスイッチ２１ｃに接触して、レリーズスイッチ２１ｃを押し込む。
【００７５】
ここで、押し子部材３１の移動方向（Ｚ方向）に対するカム部２６ａの傾斜角度をθａとし、押し子部材３１の移動方向（Ｚ方向）に対するカム部２６ｂの傾斜角度をθｂとする。本実施形態では、レリーズリング１４がＹ方向にスライド操作された場合と、Ｘ方向にスライド操作された場合とで、第２の軸部３１ｄがレリーズスイッチ２１ｃを押し込むために必要なスライド操作量が異なるように、カム部２６ａ、２６ｂを形成している。
【００７６】
本実施形態では、傾斜角度θａが傾斜角度θｂより大きくなるように、カム部２６ａ、２６ｂを形成している。したがって、第２の軸部３１ｄの先端がレリーズスイッチ２１ｃを押し込むまでに必要なレリーズリング１４のスライド操作量は、Ｙ方向の方がＸ方向より大きくなる。すなわち、レリーズリング１４をＸ方向にスライド操作する場合には、第２の軸部３１ｄの先端がレリーズスイッチ２１ｃを押し込むために必要なスライド操作量が比較的小さい。一方、レリーズリング１４をＹ方向にスライド操作する場合には、第２の軸部３１ｄの先端がレリーズスイッチ２１ｃを押し込むために必要なスライド操作量が比較的大きい。なお、カム部２６ａとカム部２６ｂとの境界部分では、傾斜角度の違いを滑らかにつないでいる。これによって、レリーズリング１４をＸ方向とＹ方向の中間となる斜め方向にスライド操作した場合にも、違和感が生じにくくなる。
【００７７】
第２の軸部３１ｄの先端がレリーズスイッチ２１ｃを押し込むために必要なスライド量が小さいほど、第２の軸部３１ｄの先端がレリーズスイッチ２１ｃを押し込むために必要な力は大きくなる。第２の軸部３１ｄの先端がレリーズスイッチ２１ｃを押し込むために必要なスライド量が大きいほど、第２の軸部３１ｄの先端がレリーズスイッチ２１ｃを押し込むために必要な力は小さくなる。すなわち、傾斜角度が小さいほど、レリーズリング１４のスライド操作が重くなる。
【００７８】
本実施形態では、レリーズリング１４をＸ方向にスライド操作する場合には、レリーズベース２２をＹ方向移動リング１５に対してスライドさせるだけである。したがって、カム部２６ｂの傾斜角度θｂを小さくしても、レリーズリング１４のスライド操作は極端に重くなることはない。一方、レリーズリング１４をＹ方向にスライド操作する場合には、レリーズベース２２およびＹ方向移動リング１５をフロントインナー２０に対してスライドさせることになる。したがって、スライドさせる部材の数が増える分だけ、スライド操作に必要な力は増加する。もし、カム部２６ａの傾斜角度θａを小さくすると、レリーズリング１４のスライド操作は極端に重くなってしまうかもしれない。
【００７９】
本実施形態は、このような点を考慮して、カム部２６ａ、２６ｂの傾斜角度を決めている。すなわち、レリーズリング１４をＸ方向にスライド操作しても、Ｙ方向にスライド操作しても、レリーズスイッチ２１ｃをオンするための力がほぼ等しくなるように、カム部２６ａ、２６ｂの傾斜角度を変えている。
【００８０】
本実施形態では、レリーズリング１４をＸ方向にスライド操作するとき、押し子部材３１の第１の軸部３１ｂを中心として、レリーズリング１４が回転することが考えられる。この場合には、レリーズベース２２の軸部２２ｄがフロントインナー２０に形成される穴部２０ｃの縁に当接することで、レリーズリング１４の回転を制限している。すなわち、レリーズベース２２の軸部２２ｄは、レリーズリング１４のフロントインナー２０に対する回転を規制する規制手段として機能する。押し子部材３１の第１の軸部３１ｂからレリーズベース２２の軸部２２ｄまでの距離が、押し子部材３１の第１の軸部３１ｂからレリーズベース２２の中心位置までの距離よりも大きくなるように、レリーズベース２２の軸部２２ｄが配置されている。また、レリーズベース２２の中心位置に対して押し子部材３１の第１の軸部３１ｂと略点対称となる位置に、レリーズベース２２の軸部２２ｄが配置されている。
【００８１】
レリーズベース２２をＸ方向およびＹ方向にスライド操作した場合に、レリーズスイッチ２１ｃの２段目のスイッチがオンした後に、軸部２２ｄと穴部２０ｃの縁とが当接するように、穴部２０ｃの直径が決められている。したがって、軸部２２ｄと穴部２０ｃの縁とが当接してしまうことで、レリーズスイッチ２１ｃの２段目のスイッチがオンすることができないという不具合は起こらない。
【００８２】
図１１は、レリーズリング１４をＸ方向またはＹ方向にスライド操作する際に必要な力について説明する図である。
【００８３】
レリーズリング１４がＹ方向の中立位置にあるとき、バネ収納用凹部２０ａ、２０ｂに収納されるバネユニット５０がＹ方向移動リング１５をＹ方向の中立位置に付勢し、摺動部３１ａがカム部２６ａを押圧する力がカム部材２６をＹ方向の中立位置に付勢している。図１１（ａ）は、レリーズリング１４をＹ方向の中立位置に付勢する力を説明する図である。図１１（ａ）にて、バネ収納用凹部２０ａ、２０ｂに収納されるバネユニット５０がＹ方向移動リング１５をＹ方向の中立位置に付勢する力をＦｙ１で示している。また、図１１（ａ）にて、摺動部３１ａがカム部２６ａを押圧する力をＦｙ２で示している。
【００８４】
レリーズリング１４がＸ方向の中立位置にあるとき、バネ収納用凹部１５ａ、１５ｂに収納されるバネユニット５０がレリーズベース２２をＸ方向の中立位置に付勢し、摺動部３１ａがカム部２６ｂを押圧する力がカム部材２６をＸ方向の中立位置に付勢している。図１１（ｂ）は、レリーズリング１４をＸ方向の中立位置に付勢する力を説明する図である。図１１（ｂ）にて、バネ収納用凹部１５ａ、１５ｂに収納されるバネユニット５０がレリーズベース２２をＸ方向の中立位置に付勢する力をＦｘ１で示している。また、図１１（ａ）にて、摺動部３１ａがカム部２６ｂを押圧する力をＦｘ２で示している。
【００８５】
レリーズリング１４をＹ１方向にスライド操作する際には、バネ収納用凹部２０ａ、２０ｂに収納されるバネユニット５０の付勢力Ｆｙ１と摺動部３１ａがカム部２６ａを押圧する力Ｆｙ２に抗してレリーズリング１４をＹ１方向にスライド操作しなければならない。
【００８６】
本実施形態にて、バネ収納用凹部２０ａ、２０ｂに収納されるバネユニット５０の付勢力Ｆｙ１左右で同じ力になるように、バネユニット５０のコイルバネ５２が設定されている。また、カム部材２６および押し子部材３１が配置される位置は、レリーズリング１４に対して左右方向で略中心となる位置となっている。したがって、図１１（ａ）に示すように、レリーズリング１４をＹ１方向にスライド操作する場合には、摺動部３１ａがカム部２６ａを押圧する力が左右方向にほぼ均等に分割されることになる。これによって、レリーズリング１４をＹ方向の中立位置に付勢する力は、レリーズリング１４の左右でほぼ等しくなっている。
【００８７】
レリーズリング１４をＸ１方向にスライド操作する際には、バネ収納用凹部１５ａ、１５ｂに収納されるバネユニット５０の付勢力Ｆｘ１と摺動部３１ａがカム部２６ｂを押圧する力Ｆｘ２に抗してレリーズリング１４をＸ１方向にスライド操作しなければならない。
【００８８】
本実施形態にて、カム部材２６および押し子部材３１は、図１０（ｂ）に示されるように、下側のバネ収納用凹部１５ｂに収納されるバネユニット５０とＺ方向に重なる位置に配置されている。
【００８９】
すなわち、カム部材２６および押し子部材３１が配置されている位置は、レリーズリング１４に対して下側となっている。したがって、図１１（ｂ）に示すように、下側のバネ収納用凹部１５ｂに収納されるバネユニット５０の付勢力Ｆｘ１と摺動部３１ａがカム部２６ｂを押圧する力Ｆｘ２は、レリーズリング１４のほぼ同じ位置に作用している。一方、レリーズリング１４の上側は、上側のバネ収納用凹部１５ａに収納されるバネユニット５０の付勢力Ｆｘ１のみが作用している。
【００９０】
ここで、上側のバネ収納用凹部１５ａに収納されるバネユニット５０のコイルバネ５２と、下側のバネ収納用凹部１５ｂに収納されるバネユニット５０のコイルバネ５２が同じバネ定数のバネである場合を想定する。この場合、摺動部３１ａがカム部２６ｂを押圧する力Ｆｘ２の分だけ、レリーズリング１４の下側に作用する力が、レリーズリング１４の上側に作用する力よりも大きくなる。このとき、図１１に示すように、レリーズリング１４をＸ１方向にスライド操作すると、レリーズリング１４の上側がレリーズリング１４の下側よりも先に動き出してしまい、レリーズリング１４は、図１１（ｂ）の矢印Ｒに示す方向に回転しようとする。
【００９１】
この点を考慮して、本実施形態では、下側のバネユニット５０の付勢力Ｆｘ１と摺動部３１ａがカム部２６ｂを押圧する力Ｆｘ２の合力が、上側のバネユニット５０の付勢力Ｆｘ１とほぼ等しくなるようにしている。すなわち、下側のバネユニット５０の付勢力を上側のバネユニット５０の付勢力より小さくしている。これによって、レリーズリング１４の上側に作用する力と、レリーズリング１４の下側に作用する力とが、ほぼ等しくなり、レリーズリング１４をＸ１方向にスライド操作しても、レリーズリング１４が図１１の矢印Ｒに示す方向に回転することがない。ここで、上側のバネユニット５０が第１のリング操作部材の一方側に配置される付勢部材（または第１の付勢部材）に相当し、下側のバネユニット５０が第１のリング操作部材の他方側に配置される第２の付勢部材に相当する。
【００９２】
図１２〜図１６は、ズームリング１３、Ｙ方向移動リング１５、ズームスイッチ２１ｂ、レリーズベース２２の状態を説明する図である。図１２は、ズームリング１３が中立位置にある状態を示している。図１２（ａ）は、ズームリング１３、Ｙ方向移動リング１５、ズームスイッチ２１ｂ、レリーズベース２２の全体図である。図１２（ｂ）は、図１２（ａ）に示すズームリング１３上側部分となるＡ部の拡大図である。図１２（ｂ）は、図１２（ａ）に示すズームリング１３下側部分となるＢ部の拡大図である。図１２（ａ）、（ｂ）に示すように、ズームリング１３には、ズームスイッチ２１ｂをオン、オフする切り欠き部１３ｂが形成されている。ズームリング１３を中立位置からＰ方向またはＱ方向に回動させると、切り欠き部１３ｂの端１３ｂ１がズームスイッチ２１ｂのレバー部２１ｂ１に接触し、Ｐ方向またはＱ方向に倒す。レバー部２１ｂ１がＰ方向またはＱ方向に倒されることで、ズームスイッチ２１ｂはズーム信号を出力する。
【００９３】
図１２（ａ）〜（ｃ）に示すように、ズームリング１３には、切り欠き部１３ｄ、１３ｅ、１３ｆが形成されている。図１２（ｂ）に示すように、ズームリング１３が中立位置となるときに、切り欠き部１３ｄは軸部２２ｄに対応する位置に形成されている。図１２（ｃ）に示すように、ズームリング１３が中立位置となるときに、切り欠き部１３ｅは軸部２２ｃに対応する位置に形成され、切り欠き部１３ｆは軸部２２ｂに対応する位置に形成されている。
【００９４】
図１３は、ズームリング１３が中立位置となるときに、レリーズリング１４をＸ１方向にスライド操作した状態を説明する図である。図１３（ａ）は、ズームリング１３が中立位置となるときに、レリーズリング１４をＸ方向にスライド操作した状態における図１２（ａ）に対応する全体図である。図１３（ｂ）は、図１３（ａ）に示すズームリング１３上側部分となるＡ部の拡大図である。図１３（ｃ）は、図１３（ａ）に示すズームリング１３下側部分となるＢ部の拡大図である。
【００９５】
レリーズリング１４をＸ１方向にスライド操作すると、ズームリング１３に対してレリーズベース２２がＸ１方向にスライドする。このとき、図１３（ｂ）、（ｃ）に示すように、軸部２２ｄが切り欠き部１３ｄに入り込み、軸部２２ｃが切り欠き部１３ｅに入り込む。これによって、ズームリング１３に対してレリーズベース２２をＸ１方向にスライドさせることができる。すなわち、レリーズベース２２のＸ１方向のスライドを許容することになる。
【００９６】
図１４は、ズームリング１３が中立位置となるときに、レリーズリング１４をＹ１方向にスライド操作した状態を説明する図である。図１４（ａ）は、ズームリング１３が中立位置となるときに、レリーズリング１４をＸ方向にスライド操作した状態における図１２（ａ）に対応する全体図である。図１４（ｂ）は、図１４（ａ）に示すズームリング１３上側部分となるＡ部の拡大図である。図１４（ｃ）は、図１４（ａ）に示すズームリング１３下側部分となるＢ部の拡大図である。
【００９７】
レリーズリング１４をＹ１方向にスライド操作すると、ズームリング１３に対してレリーズベース２２がＹ１方向にスライドする。このとき、図１４（ｃ）に示すように、軸部２２ｂが切り欠き部１３ｆに入り込み、軸部２２ｃが切り欠き部１３ｅに入り込む。これによって、ズームリング１３に対してレリーズベース２２をＹ１方向にスライドさせることができる。すなわち、レリーズベース２２のＹ１方向のスライドを許容することになる。
【００９８】
図１５は、ズームリング１３を中立位置からＱ方向に回動させ、切り欠き部１３ｂの端がズームスイッチ２１ｂのレバー部２１ｂ１に接触し、ズームスイッチ２１ｂがズーム信号を出力する状態を説明する図である。図１５（ａ）は、ズームリング１３を中立位置からＱ方向に回動させ、ズームスイッチ２１ｂがズーム信号を出力する状態における図１２（ａ）に対応する全体図である。図１５（ｂ）は、図１５（ａ）に示すズームリング１３上側部分となるＡ部の拡大図である。図１５（ｃ）は、図１５（ａ）に示すズームリング１３下側部分となるＢ部の拡大図である。
【００９９】
図１５（ｂ）、（ｃ）に示すように、この状態では、軸部２２ｂ、２２ｃ、２２ｄがズームリング１３の内径部１３ｇにそれぞれ当接している。したがって、図１５に示す状態では、ズームリング１３に対するレリーズベース２２のスライド移動が規制されているので、レリーズリング１４をＸ方向またはＹ方向にスライド操作することができなくなる。すなわち、本実施形態では、ズームリング１３を回動し、ズームスイッチ２１ｂがズーム信号を出力する状態では、レリーズリング１４のスライド操作を機械的に制限している。
【０１００】
図１６は、ズームリング１３を中立位置からＱ方向に回動させ、切り欠き部１３ｂの端がズームスイッチ２１ｂのレバー部２１ｂ１に接触しているが、ズームスイッチ２１ｂがズーム信号を出力していない状態を説明する図である。図１６（ａ）は、ズームリング１３を中立位置からＱ方向に回動させ、ズームスイッチ２１ｂがズーム信号を出力していない状態における図１２（ａ）に対応する全体図である。図１５（ｂ）は、図１５（ａ）に示すズームリング１３上側部分となるＡ部の拡大図である。図１５（ｃ）は、図１５（ａ）に示すズームリング１３下側部分となるＢ部の拡大図である。
【０１０１】
この状態では、図１６（ｂ）に示すように、軸部２２ｄが切り欠き部１３ｄの端１３ｄ１に当接している。図１６（ｃ）に示すように、軸部２２ｂが切り欠き部１３ｆの端１３ｆ１に当接し、軸部２２ｃが切り欠き部１３ｅの端１３ｅ１に当接している。
【０１０２】
この状態で、レリーズリング１４をＸ１方向にスライド操作すると、ズームリング１３に対してレリーズベース２２がＸ１方向にスライドして、軸部２２ｄが切り欠き部１３ｄの端１３ｄ１を押圧し、軸部２２ｃが切り欠き部１３ｅの端１３ｅ１を押圧する。端１３ｄ１、１３ｅ１、１３ｆ１は、それぞれ曲面形状で形成されているので、軸部２２ｄが端１３ｄ１を押圧する力および軸部２２ｃが端１３ｅ１を押圧する力によって、ズームリング１３をＰ方向に回動させる。これによって、軸部２２ｄが切り欠き部１３ｄに入り込み、軸部２２ｃが切り欠き部１３ｅに入り込む。これによって、ズームリング１３に対してレリーズベース２２をＸ１方向にスライドさせることができる。
【０１０３】
また、図１６に示す状態にて、レリーズリング１４をＹ１方向にスライド操作すると、ズームリング１３に対してレリーズベース２２がＹ１方向にスライドして、軸部２２ｄが切り欠き部１３ｄの端１３ｄ１を押圧する。この場合にも、軸部２２ｄが端１３ｄ１を押圧する力によって、ズームリング１３をＰ方向に回動させ、軸部２２ｄが切り欠き部１３ｄに入り込む。
【０１０４】
このように、本実施形態では、ズームスイッチ２１ｂがズーム信号を出力する前の状態であれば、レリーズリング１４をスライド操作することで、ズームリング１３を中立位置に戻すことができるように、端１３ｄ１、１３ｅ１、１３ｆ１を形成している。
【０１０５】
（変形例）
上述した実施形態では、付勢バネ３２の復元力のうちＸ方向に作用する力を考慮して、下側のバネユニット５０の付勢力を上側のバネユニット５０の付勢力より小さく設定した。これに代えて、以下の変形例では、上側のバネユニット５０の付勢力と、摺動部３１ａがカム部２６ｂを押圧する力とが、ほぼ等しくなるように、コイルバネ５２の付勢力、付勢バネ３２の付勢力およびカム部２６ｂの傾斜角度θｂを設定している。これによって、下側のバネユニット５０を廃止することができる。
【符号の説明】
【０１０６】
１４  レリーズリング
１５  Ｙ方向移動リング
２０  フロントインナー
２２  レリーズベース
２６  カム部材
２６ａ、２６ｂ  カム部
３１  押し子部材
３２  付勢バネ
【図１】
2016012027.tif 000003
【図２】
2016012027.tif 000004
【図３】
2016012027.tif 000005
【図４】
2016012027.tif 000006
【図５】
2016012027.tif 000007
【図６】
2016012027.tif 000008
【図７】
2016012027.tif 000009
【図８】
2016012027.tif 000010
【図９】
2016012027.tif 000011
【図１０】
2016012027.tif 000012
【図１１】
2016012027.tif 000013
【図１２】
2016012027.tif 000014
【図１３】
2016012027.tif 000015
【図１４】
2016012027.tif 000016
【図１５】
2016012027.tif 000017
【図１６】
2016012027.tif 000018